(57)【要約】【課題】  低速モーターを採用することで、駆動騷音を減少しながらも圧縮能力の低下を防止できる圧縮機を提供する。【解決手段】  密閉容器１と、前記密閉容器１の内部に設けられ、冷媒圧縮室１１ａを備える圧縮部１０と、冷媒の圧縮力を提供するために、４極以上の低速モーターを備える駆動部２０と、前記圧縮室１１ａ外側の密閉容器１内部に残っている冷媒を前記圧縮室１１ａに伝達する過給装置６０と、から構成されており、前記過給装置６０は、前記駆動部２０から駆動力を受けて回転するファン７０と、前記ファン７０によって送風された冷媒を前記冷媒圧縮室１１ａに伝達する流路８０とを含む。【選択図】      図２
2007024037.tif 000002
【特許請求の範囲】
【請求項１】
密閉容器と、
前記密閉容器の内部に設けられ、冷媒圧縮室を備える圧縮部と、
冷媒の圧縮力を提供するために、４極以上の低速モーターを備える駆動部と、
前記圧縮室外側の密閉容器内部に残っている冷媒を前記冷媒圧縮室に伝達する過給装置と、から構成されており、
前記過給装置は、前記駆動部から駆動力を受けて回転するファンと、前記ファンによって送風された冷媒を前記冷媒圧縮室に伝達する流路とを含むことを特徴とする密閉型圧縮機。
【請求項２】
前記駆動部は、前記密閉容器に固定される固定子と、前記固定子の内部に設けられる回転子と、前記回転子に圧入されて前記回転子と一緒に回転する回転軸と、を含んでおり、
前記ファンは、その中心軸が前記回転軸の中心軸と一致するように回転軸に設置されることを特徴とする請求項１に記載の密閉型圧縮機。
【請求項３】
前記駆動部は、前記密閉容器に固定される固定子と、前記固定子の内部に設けられる回転子と、前記回転子に圧入されて前記回転子と一緒に回転する回転軸と、を含み、
前記回転軸は、メーン軸部と、前記メーン軸部の一端側にメーン軸部から偏心して設けられた偏心軸部と、前記回転軸の不均一な回転運動を補償するために、前記偏心軸部とメーン軸部との間に設けられたウェイトバランス部と、を含み、
前記圧縮部は、前記冷媒圧縮室の内部に進退可能に設置されたピストンと、前記偏心軸部と前記ピストンとを連結するコネクティングロッドと、をさらに含み、
前記ファンは、その中心軸が前記メーン軸部の中心軸と一致するように、前記ウェイトバランス部と前記コネクティングロッドとの間の前記偏心軸部の外側に設置され、前記回転軸と一緒に回転する遠心ファンを含むことを特徴とする請求項１に記載の密閉型圧縮機。
【請求項４】
前記ファンは、前記ウェイトバランス部に固定及び支持されることを特徴とする請求項３に記載の密閉型圧縮機。
【請求項５】
前記過給装置は、前記ファンによって送風される冷媒を前記流路の入口に案内するために、前記ファンの外側に設置される案内部材をさらに含むことを特徴とする請求項３に記載の密閉型圧縮機。
【請求項６】
前記ウェイトバランス部下側の前記メーン軸部を回転可能に支持する貫通部が中央に形成されたフレームをさらに含み、
前記案内部材は、前記フレームに固定及び支持されることを特徴とする請求項５に記載の密閉型圧縮機。
【請求項７】
前記案内部材は、前記ファンの外側に設置される円筒状の本体部と、前記本体部の内部空間と前記流路とを連結し、前記流路側に行くほど内部断面積が減少するホッパー部と、を含むことを特徴とする請求項５に記載の密閉型圧縮機。
【請求項８】
前記ホッパー部の終端には、前記流路の入口に挿入されて係止される挿入部が設けられることを特徴とする請求項７に記載の密閉型圧縮機。
【請求項９】
前記挿入部とホッパー部との間には、前記過給室の気密状態を維持するためのＯリングが設けられることを特徴とする請求項７に記載の密閉型圧縮機。
【請求項１０】
前記圧縮部は、前記冷媒圧縮室の内部に進退可能に設置されたピストンをさらに含み、
前記流路には、前記ピストンの圧縮行程時、冷媒が前記流路から前記圧縮室に供給されることを遮断し、前記ピストンの吸入行程時、冷媒が前記流路から前記圧縮室に供給されるように冷媒の流れを制御する開閉バルブが設けられることを特徴とする請求項１に記載の密閉型圧縮機。
【請求項１１】
前記流路を通して前記圧縮室に伝達される冷媒の送風力は、前記圧縮室内の冷媒の圧縮力より小さいことを特徴とする請求項１０に記載の密閉型圧縮機。
【請求項１２】
前記駆動部は、４極モーターを含むことを特徴とする請求項１に記載の密閉型圧縮機。
【請求項１３】
前記駆動部は、６極モーターを含むことを特徴とする請求項１に記載の密閉型圧縮機。
【請求項１４】
密閉容器と、
前記密閉容器に設けられる冷媒の圧縮手段と、
騒音を最小化しながら、前記圧縮手段に圧縮力を提供する手段と、
前記密閉容器から前記圧縮手段に冷媒を伝達する手段と、を含むことを特徴とする密閉型圧縮機。
【請求項１５】
少なくとも一つの密閉容器と、
圧縮室を含み、前記密閉容器内に配置される少なくとも一つの圧縮部と、
前記少なくとも一つの圧縮部に力を提供するための少なくとも一つのモーターと、
少なくとも一つの過給装置と、を含み、
前記過給装置は、回転する過給ファンと、前記過給ファンによって送風された冷媒を前記圧縮室に伝達するための過給流路と、を含むことを特徴とする密閉型圧縮機。
【請求項１６】
前記少なくとも一つのモーターは、４極モーターを含むことを特徴とする請求項１５に記載の密閉型圧縮機。
【請求項１７】
前記少なくとも一つのモーターは、６極モーターを含むことを特徴とする請求項１５に記載の密閉型圧縮機。
【発明の詳細な説明】
【技術分野】
【０００１】
本発明は、圧縮機に関するもので、詳しくは、低速モーターを採用することで、駆動騷音を減少しながらも圧縮能力の低下を防止できる圧縮機に関するものである。
【背景技術】
【０００２】
一般に、冷蔵庫や空気調和機などに採用される冷凍サイクルには、低圧冷媒を吸入及び圧縮し（高圧冷媒を発生）、圧縮された高圧冷媒を吐出する圧縮機と、この圧縮機から吐出された冷媒を凝縮する凝縮器と、この凝縮器から伝達された凝縮冷媒を膨脹する膨脹部材と、この膨脹部材から伝達された膨脹冷媒を蒸発によって周囲の空気と熱交換する蒸発器と、が用いられる。これら圧縮機、凝縮器、膨脹部材及び蒸発器は、冷媒管の使用によって閉回路をなして連結される。
【０００３】
一方、冷凍サイクルの能力を考慮して、冷凍サイクルの圧縮機用モーターには、常用回転速度が３０００ｒｐｍ乃至３６００ｒｐｍの２極モーターが主に用いられる。
【０００４】
しかしながら、従来の冷凍サイクルの圧縮機は、高速の２極モーターを採用するため、モーターの高速回転に伴う振動により、駆動騷音が過度に発生するという問題点があった。
【０００５】
さらに、圧縮機の駆動騷音を低減するために、常用回転速度が１５００ｒｐｍ乃至１８００ｒｐｍの低速の４極モーターが２極モーターの代わりに用いられるが、この場合、低速モーターの低いＲＰＭによって圧縮能力が低減するので、冷媒の圧縮作用を効果的に行えなくなるという問題点があった。
【発明の開示】
【発明が解決しようとする課題】
【０００６】
本発明は、上記の問題点を解決するためになされたもので、その目的は、低速モーターを採用することで、駆動騷音を減少しながらも圧縮能力の低下を防止できる圧縮機を提供することにある。
【課題を解決するための手段】
【０００７】
上記の目的を達成するための本発明に係る密閉型圧縮機は、密閉容器と、前記密閉容器の内部に設けられ、冷媒圧縮室を備える圧縮部と、冷媒の圧縮力を提供するために、４極以上の低速モーターを備える駆動部と、前記冷媒圧縮室外側の密閉容器内部に残っている冷媒を前記圧縮室に伝達する過給装置と、から構成されており、前記過給装置は、前記駆動部から駆動力を受けて回転するファンと、前記ファンによって送風された冷媒を前記冷媒圧縮室に伝達する流路と、を含むことを特徴とする。
【０００８】
また、本発明に係る密閉圧縮機は、密閉容器と、冷媒の圧縮手段と、騒音を最小化しながら圧縮力を提供する手段と、前記密閉容器から前記圧縮手段に冷媒を伝達する手段と、を含むことを特徴とする。
【０００９】
さらに、本発明に係る密閉圧縮機は、少なくとも一つの密閉容器と、圧縮室を含む少なくとも一つの圧縮部と、力を提供するための少なくとも一つのモーターと、少なくとも一つの過給装置と、を含み、前記過給装置は、回転する過給ファンと、前記過給ファンによって送風された冷媒を前記圧縮室に伝達するための過給流路と、を含むことを特徴とする。
【発明の効果】
【００１０】
本発明に係る圧縮機は、４極以上の低速モーターを駆動部として採用することで、駆動騷音を大幅に減少して静粛運転を可能にするという効果がある。
【００１１】
また、本発明に係る圧縮機は、過給装置を用いることで、回転軸の低速回転による圧縮能力の低下を防止できるという効果がある。
【発明を実施するための最良の形態】
【００１２】
以下、本発明の好ましい実施の形態に対し、図面に基づいて詳しく説明する。
【００１３】
冷凍サイクルを通して循環する冷媒は、凝縮器で凝縮されながら大気に熱を放出し、蒸発器で蒸発されながら大気からの熱を吸収しており、この蒸発器によって冷却作用が行われる。
【００１４】
より詳しく説明すると、圧縮機は、密閉容器と、冷媒を圧縮する圧縮部と、冷媒の圧縮力を提供するモーターと、を備えており、これら圧縮部及びモーターは、密閉容器の内部に設けられる。さらに、密閉容器には、蒸発器から伝達された冷媒を密閉容器の内部に流入するための吸入管と、圧縮部で圧縮された冷媒を密閉容器から前記凝縮器に吐出するための吐出管と、が設置される。
【００１５】
上記のような構成により、蒸発器から吸入管を通して圧縮機の密閉容器内部に流入された冷媒は、モーターの駆動によって圧縮部で圧縮され、この圧縮された冷媒は、密閉容器から前記吐出管を通して凝縮器に吐出される。
【００１６】
本発明に係る圧縮機は、図１に示すように、互いに結合された上部容器１ａと下部容器１ｂとに区分される密閉容器１と、冷媒を圧縮する圧縮部１０と、冷媒の圧縮力を提供する駆動部２０と、を備えており、これら圧縮部１０及び駆動部２０は、密閉容器１の内部に設けられる。さらに、密閉容器の一側には、冷凍サイクルの蒸発器から供給された冷媒を密閉容器１に案内する吸入管２が設けられ、他側には、前記圧縮部１０で圧縮された冷媒を密閉容器１から冷凍サイクルの凝縮器に吐出する吐出管３が設けられる。
【００１７】
圧縮部１０は、フレーム３０の一側に設けられ、冷媒を圧縮するための圧縮室１１ａが内部に形成されるシリンダーブロック１１と、圧縮室１１ａの内部で進退しながら冷媒を圧縮するピストン１２と、圧縮室１１ａを密閉するためにシリンダーブロック１１に結合され、冷媒吐出室１３ａ及び冷媒吸入室１３ｂが内部に形成されたシリンダーヘッド１３と、シリンダーブロック１１とシリンダーヘッド１３との間に介在され、冷媒吸入室１３ｂから圧縮室１１ａに吸入されるか、圧縮室１１ａから冷媒吐出室１３ａに吐出される冷媒の流れを制御するバルブ装置１４と、から構成される。
【００１８】
また、駆動部２０は、前記ピストン１２が圧縮室１１ａ内で往復運動するように駆動力を提供するもので、密閉容器１の内部に固定された固定子２１と、この固定子２１から離隔されて固定子２１と電磁気的に相互作用する回転子２２と、回転子２２の中心部に圧入されて回転子２２と一緒に回転する回転軸２３と、を備えたモーターを含んでいる。このモーターは、周波数５０Ｈｚ乃至６０Ｈｚで１５００ｒｐｍ乃至１８００ｒｐｍの常用回転速度を有する４極モーターを含んでおり、前記固定子２１は、４極固定子である。
【００１９】
上記のように、駆動部２０が４極モーターを含むとき、回転軸２３の回転速度は、冷凍サイクルの圧縮機に用いられる２極モーターの回転速度の半分になる。その結果、駆動部２０がモーターの回転による振動を大幅に低減するため、実質的に圧縮機の駆動騷音を密閉容器１の外側で感じることはない。
【００２０】
また、回転軸２３は、下部が前記回転子２２に圧入され、フレーム３０の中央側に形成された貫通部３１に回転可能に支持されるメーン軸部２３ａと、このメーン軸部２３ａの上端側に位置し、メーン軸部２３ａから偏心して設けられた偏心軸部２３ｂと、この偏心軸部２３ｂによる回転軸２３の不均一な回転運動を補償するために、偏心軸部２３ｂとメーン軸部２３ａとの間に設けられた板状のウェイトバランス部２３ｃと、を含んで構成される。また、前記偏心軸部２３ｂとピストン１２との間には、コネクティングロッド２５が介在されており、このコネクティングロッド２５は、偏心軸部２３ｂの偏心回転運動をピストン１２の直線運動に転換するために、一端が偏心軸部２３ｂに回転運動可能に結合され、他端がピストン１２に回転及び直線運動可能に結合される。
【００２１】
図１において、図面符号４１は、ウェイトバランス部２３ｃ側の回転軸２３と前記貫通部３１の上端側のフレーム３０との間に設置され、回転軸２３を回転可能に支持するスラストボールベアリングを示している。また、図面符号４２及び４３は、潤滑を目的として、オイルを密閉容器１の底部に形成されたオイル保存空間１ｃから、回転軸２３の回転時に回転軸２３に形成されたオイル流路にピックアップし、このオイルを圧縮機の各種の摩擦摺動部に伝達するためのオイルピックアップ部材及びオイルピックアップブレードを示している。
【００２２】
また、前記冷媒吸入室１３ｂと吸入管２との間には、圧縮室１１ａの内部に流入される冷媒の流動騷音を減少するための吸入マフラー４４が設置され、冷媒吐出室１３ａと吐出管３との間には、密閉容器１の外部に吐出される冷媒の流動騷音を低減するための共鳴空間を形成する吐出マフラー４５（図２を参照）が設置される。この吐出マフラー４５は、圧縮室１１ａの一側でシリンダーブロック１１と一体に形成される。
【００２３】
上記のような構成によると、電源が印加され、固定子２１と回転子２２との間の電気的な相互作用によって回転子２２と一緒に回転軸２３が回転すると、偏心軸部２３ｂとコネクティングロッド２５を通して連結されたピストン１２は、圧縮室１１ａの内部で直線往復運動をする。このようなピストン１２の直線往復運動を通して、吸入管２によって冷媒が密閉容器１の内部に流入され、この流入された冷媒は、吸入マフラー４４の動作によって多少騷音が低減した状態でシリンダーヘッド１３の冷媒吸入室１３ｂに流入される。その後、冷媒は、圧縮室１１ａに伝達されて圧縮室１１ａの内部で圧縮され、この圧縮された冷媒は、シリンダーヘッド１３の冷媒吐出室１３ａに吐出された後、吐出マフラー４５及び吐出管３によって密閉容器１の外部に吐出される。上記のように反復的な吸入及び吐出を通して、圧縮機による冷媒の圧縮作用が行われる。
【００２４】
一方、本発明に係る密閉型圧縮機は、前記圧縮室１１ａに流入される冷媒量を増大するための過給装置６０を含んでおり、この過給装置６０は、前記回転軸２３の低いＲＰＭによる圧縮機の圧縮能力低下を補償するものである。過給装置６０の使用により、本発明に係る圧縮機は、駆動部２０が低速の４極モーターを採用するにもかかわらず、冷凍サイクルで要求される冷媒圧縮能力を満足できるようになる。
【００２５】
また、吸入管２を通して密閉容器１の内部に流入される冷媒の一部は、前記吸入マフラー４４によってシリンダーヘッド１３の冷媒吸入室１３ｂに流入せずに密閉容器１の内部に残るが、過給装置６０は、密閉容器１の内部に残っている冷媒を圧縮し、この圧縮された冷媒を前記圧縮室１１ａに伝達することで、圧縮室１１ａに流入される冷媒量を増加させる。かかる過給装置６０は、別途の駆動装置を要することなく、密閉容器１の内部に残っている冷媒を圧縮して圧縮室１１ａに伝達するために、前記駆動部２０から駆動力を受けて駆動される。
【００２６】
以下、上記のような過給装置６０の構造を、図２乃至図５に基づいて詳しく説明する。
【００２７】
図２は、本発明の一実施形態に係る過給装置の分解斜視図で、図３及び図４は、ピストンの吸入行程時及び圧縮行程時、過給装置の動作状態を示した断面立面図で、図５は、図３のＡ−Ａ線に沿った過給装置の断面立面図である。
【００２８】
図２乃至図５に示すように、過給装置６０は、前記回転軸２３に設置されて回転軸２３と一緒に回転する過給ファン７０と、この過給ファン７０によって送風された冷媒を圧縮室１１ａに伝達する過給流路８０と、過給ファン７０によって送風される冷媒を前記過給流路８０の入口側に案内する案内部材９０と、を含んで構成される。
【００２９】
前記過給ファン７０は、密閉容器１の内部に残っている冷媒を過給ファン７０の中央部に流入し、半径方向に外部に吐出するための遠心ファンを含んでいる。
【００３０】
この遠心過給ファン７０は、上部にリング状に設けられ、中央部に吸入ホール７１ａを形成するシュラウド７１と、シュラウド７１との間に吐出ホール７２ａを形成するために、シュラウド７１から下側に離隔される円板状のハブ７２と、シュラウド７１とハブ７２との間に、ハブ７２の外周に沿って円周方向に設置される複数個のブレード７３と、を含んで構成される。
【００３１】
過給ファン７０は、ウェイトバランス部２３ｃとコネクティングロッド２５との間の偏心軸部２３ｂの外側に設置され、その中心軸が回転軸２３のメーン軸部２３ａの中心軸と一致するように設置される。よって、過給ファン７０は、回転軸２３の１回転ごとに回転軸２３と一緒に１回転するように設けられ、回転軸２３と同一の速度で回転する。
【００３２】
また、過給ファン７０は、前記ハブ７２がウェイトバランス部２３ｃに固定ボルト１００によって固定されることで、回転軸２３に固定及び支持される。また、過給ファン７０は、偏心軸部２３ｂの下側に嵌められ、偏心軸部２３ｂの下部外側に設置される。ハブ７２には、偏心軸部２３ｂの貫通のための貫通孔７２ｂが形成される。
【００３３】
過給ファン７０によって送風される冷媒を圧縮室１１ａに伝達する前記過給流路８０は、密閉容器１の内部空間と連通して形成される過給室８１と、この過給室８１と前記圧縮室１１ａとを連結する連通流路８２と、を含んで構成される。
【００３４】
ここで、過給室８１は、吐出マフラー４５の反対側でシリンダーブロック１１と一体に設けられる過給ケーシング８１ａの内部に形成され、前記連通流路８２は、過給室８１と圧縮室１１ａとの間のシリンダーブロック１１を貫通して形成される。また、前記過給室８１の入口は、過給流路８０の入口であり、前記連通流路８２の出口は、過給流路８０の出口である。
【００３５】
また、前記過給ファン７０によって送風される冷媒を過給流路８０の入口に案内する前記案内部材９０は、過給ファン７０の外側に円筒状に設置され、その下端が貫通部３１の外周に沿ってフレーム３０の上面によって閉鎖される本体部９１と、前記過給室８１と本体部９１の内部空間とを連結するために本体部９１の内部に一体に形成され、本体部９１から過給室８１側に行くほど内部断面積が減少する漏斗状のホッパー部９２と、このホッパー部９２の終端に形成され、過給流路８０の入口内部に挿入される挿入部９３と、を含んで構成される。
【００３６】
ここで、前記過給室８１の入口側に行くほど内部断面積が減少するホッパー部９２の構造は、流体が狭い通路を通過するときに流体の流速が増加するというベルヌイの定理を用いたものである。すなわち、上記のようなホッパー部９２の構造によると、冷媒が過給ファン７０の送風作用によって過給室８１に流入されるとき、冷媒の流速が増大することで冷媒の供給が一層円滑になる。  また、前記本体部９１には、前記フレーム３０の上面に本体部９１を固定ボルト１００で固定するために、本体部９１の下端から内側に延長された支持片９１ａが設けられる。また、挿入部９３の終端には、挿入部９３が過給室８１の入口に挿入されるとき、過給室８１の入口内側に係止されて支持されるフック９３ａが設けられる。案内部材９０は、前記固定ボルト１００及びフック９３ａの使用により、圧縮機の駆動によって振動が発生しても、堅固に固定された状態を維持できる。また、前記挿入部９３とホッパー部９２との間の外側には、過給室８１の入口をシーリングすることで、過給室８１の気密状態を維持するためのＯリング９４が設置される。
【００３７】
また、前記過給室８１と連通流路８２との間には、ピストン１２の圧縮行程時に過給室８１と圧縮室１１ａとの連通を遮断し、ピストン１２の吸入行程時に過給室８１と圧縮室１１ａとの連通を開放する開閉バルブ８３が設けられる。
【００３８】
この開閉バルブ８３は、ピストン１２の吸入行程時のみに、冷媒が過給流路８０から圧縮室１１ａに伝達されるように冷媒の流れを制御するもので、この開閉バルブ８３がピストン１２の圧縮行程時に開放されると、冷媒が圧縮室１１ａに流入されて冷媒の圧縮作用を阻害することになる。このような開閉バルブ８３の望まない開放を防止するために、前記過給流路８０を通して圧縮室１１ａに伝達される冷媒の送風力は、圧縮室１１ａ内部の冷媒圧縮力より小さいことが好ましい。
【００３９】
上記のような過給装置６０を備えた本発明に係る密閉型圧縮機は、回転軸２３の回転によって冷媒が圧縮室１１ａで圧縮される前に、前記過給装置６０が密閉容器１内に残った冷媒を圧縮室１１ａに伝達し、圧縮室１１ａに流入される冷媒量を増大させる。その結果、本発明に係る密閉型圧縮機は、駆動部２０が低速の４極モーターを採用するにもかかわらず（回転軸２３が低い回転速度を示すようになる）、圧縮能力の低下を防止できるようになる。
【００４０】
以下、本発明に係る密閉型圧縮機の動作及びこれによる作用効果を説明する。
【００４１】
まず、電源が印加され、固定子２１と回転子２２との間の電気的な相互作用によって回転子２２と一緒に回転軸２３が回転すると、偏心軸部２３ｂとコネクティングロッド２５を通して連結されたピストン１２は、圧縮室１１ａの内部で直線往復運動をする。このようなピストン１２の直線往復運動を通して、吸入管２によって冷媒が密閉容器１の内部に流入され、この流入された冷媒は、吸入マフラー４４の動作によって多少騷音が低減した状態でシリンダーヘッド１３の冷媒吸入室１３ｂに流入される。その後、冷媒は、圧縮室１１ａに伝達されて圧縮室１１ａの内部で圧縮され、この圧縮された冷媒は、シリンダーヘッド１３の冷媒吐出室１３ａに吐出された後、吐出管３によって密閉容器１の外部に吐出される。上記のような反復的な冷媒の吸入及び吐出を通して、圧縮機による冷媒の圧縮作用が行われる。
【００４２】
このとき、本発明に係る密閉型圧縮機は、４極モーターが駆動部２０として採用されるので、回転軸２３のＲＰＭが通常の２極モーターのＲＰＭの半分になる。その結果、モーターの回転による振動が大幅に低減することで、圧縮機の駆動騷音は、密閉容器１の外側で感じられない程度に小さくなる。
【００４３】
また、冷媒の圧縮作用前に、前記過給装置６０により密閉容器１内に残っている冷媒が圧縮室１１ａに伝達され、圧縮室１１ａに流入される冷媒量が増加する。その結果、本発明に係る圧縮機は、駆動部２０として４極の低速モーターを採用しながらも、前記回転軸２３の低速回転による圧縮能力の低下を防止できるようになる。
【００４４】
回転軸２３が回転されて冷媒の圧縮作用を行うとき、回転軸２３のメーン軸部２３ａの中心軸と過給ファン７０の中心軸とが一致するように、回転軸２３に設置された前記過給ファン７０が回転軸２３と同一の速度で回転する。このような過給ファン７０の回転により、圧縮室１１ａ外側の密閉容器１内に残っている冷媒は、過給ファン７０の上部に形成された吸入ホール７１ａに流入された後、前記吐出ホール７２ａを通して過給ファン７０から半径方向に吐出される。その後、この吐出された冷媒は、前記案内部材９０の本体部９１に案内され、前記案内部材９０のホッパー部９２を通過する過程で流速が増加することになり、この状態で過給室８１及び前記連通流路８２に流入される。
【００４５】
上記のように連通流路８２に送風された冷媒は、前記開閉バルブ８３を通してシリンダーヘッド１３の冷媒吸入室１３ｂから伝達される冷媒と一緒に、ピストン１２の吸入行程時に圧縮室１１ａに供給され、その結果、増加した冷媒量が圧縮室１１ａに流入される。
【００４６】
本実施形態では、４極モーターが前記駆動部２０として用いられたが、６極モーターなどの他の多様な低速モーターを４極モーターの代わりに用いることもできる。また、本発明の圧縮機は、前記過給装置６０の使用とともに、ピストン１２の直径や行程距離などを増加すると、低速モーターによる圧縮機の冷媒圧縮能力の低下を一層効果的に補償することができる。
【図面の簡単な説明】
【００４７】
【図１】本発明の一実施形態に係る密閉型圧縮機の断面立面図である。
【図２】本発明の一実施形態に係る過給装置の分解斜視図である。
【図３】ピストンの吸入行程時、過給装置の動作状態を示した断面立面図である。
【図４】ピストンの圧縮行程時、過給装置の動作状態を示した断面立面図である。
【図５】図３のＡ−Ａ線に沿った過給装置の断面立面図である。
【符号の説明】
【００４８】
１        密閉容器
２        吸入管
３        吐出管
１０      圧縮部
１１      シリンダーブロック
１１ａ    圧縮室
２０      駆動部
３０      フレーム
６０      過給装置
７０      過給ファン
８０      過給流路
８１      過給室
８２      連通流路
８３      開閉バルブ
９０      案内部材
９１      本体部
９２      ホッパー部
９３      挿入部
９３ａ    フック
９４      Ｏリング
【図１】
2007024037.tif 000003
【図２】
2007024037.tif 000004
【図３】
2007024037.tif 000005
【図４】
2007024037.tif 000006
【図５】
2007024037.tif 000007